(57)【要約】  本発明は、探知犬を使用した爆発物及びその他の特定目的物の発見方法に関するものであり、空港、駅その他の人が集まる場所で利用することができるものである。本発明が達成することを目的としている技術的結果は、探知犬を使用した爆発物及びその他の特定目的物の発見の確実性を高めること、及び探知検査の実行時間を削減することである。前述の技術的結果は、探知犬を使用した爆発物及びその他の特定目的物の発見方法であり対象物の探知検査が犬学者に付き添われた探知犬によって行われ、探知犬の行動の変化が目視で追跡され、探知犬の行動が変化した際に爆発物及びその他の特定目的物の存在を判定するものにおいて達成される。前述の技術的結果は、対象物の探知検査の実行前に爆発物及び（又は）その他の特定目的物の一定濃度の臭いの感知に対する探知犬の複合的な精神生理学的反応を判定し、対象物の探知検査において探知犬の行動が変化した際に、探知犬のその時の複合的な精神生理学的反応を判定し、臭いの感知の際の反応であると以前に判別された反応と比較し、比較の結果探知犬が爆発物及び（又は）その他の特定目的物を発見したか否かの結論を下すことで達成される。【選択図】図２
2017512490.tif 000002
【特許請求の範囲】
【請求項１】
探知犬を使用した爆発物及び（又は）その他の特定目的物の発見方法であって、その際に前記探知犬による探知検査が犬学者に付き添われて遂行されるものであり、前記探知犬の行動の変化が視覚的に追跡されるものであり、また前記探知犬の行動が変化した際に爆発物及び（又は）その他の特定目的物の存在が判定されるものであって、対象物の探知検査を行う前に前記探知犬の爆発物及び（又は）その他の特定目的物の一定の濃度の臭いの感知に対する複合的な精神生理学的反応を判定し、対象物の探知検査中に前記探知犬の行動が変化した際に、前記探知犬の複合的な精神生理学的反応を判定し、前記精神生理学的反応を、前もって判定された臭いを感知した際のものと比較し、及びその比較結果により前記探知犬が爆発物及び（又は）特定目的物を発見したか否かの結論を下すことを特徴とした発見方法。
【発明の詳細な説明】
【技術分野】
【０００１】
本発明は、探知犬を使用した爆発物及びその他の特定目的物の発見方法に関するものであり、空港、駅その他の人が集まる場所で利用することができるものである。
【背景技術】
【０００２】
嗅覚は犬の主たる感覚器官である。臭い分析器官が非常に発達していることが、犬を臭い探知器として導入する理由である。
【０００３】
特別に訓練を受けた犬探知器は、特殊目的物の匂いを感知すると行動を変化させること、特に、ポーズをとること（感知した臭いの発生源の前で座る又は伏せる）により犬学者に合図を送る。犬学者は、探知犬が特定目的物の臭い感知した時にとることを想定された行動に変化したことを目視により判別する。
【０００４】
２００９年６月４日公開、特許文献１、特許文献２の出願により、犬とハンドラーが入っている室内へ一定の濃度の臭いを供給するという麻薬や爆発物を含む特定目的物の発見のための探知犬の適正診断方法が知られており、その際に室内の臭いの濃度が徐々に高くなり、一定の濃度への犬の反応が目視により判定される。この方法は、探知犬の選抜及び探知犬の感覚閾値判定の助けとなる。
【０００５】
２００７年３月２３日発行の非特許文献１に掲載されたＯ．Ｂｏｇｕｓｌａｖｓｋａｙａによる記事「悪の臭い」（記事の本文は次のウェブサイトでも公開されている  ｈｔｔｐ：／／１００１．ｒｕ／ａｒｃ／ｍｋ／ｉｓｓｕｅ３２９／）により、探知犬の行動の視覚的観察に基づく爆発物及びその他の特定目的物の発見方法が知られており、その際には室内に臭いの試験サンプルが配置され、一頭目の犬と一緒にその周りを歩き回り、犬の行動により特定目的物の入った試験サンプルを判別する（犬は特定目的物の臭いが集中している試験サンプルの前で座る）。犬学者から褒美を受けるために、犬が特定目的物を発見したという嘘の合図を送ることがあることは知られている。一頭の探知犬では特定目的物の発見の確実性が十分でないため、一頭目の犬が試験室を退出した後に試験サンプルの配置を変え、次の犬を試験室に入れて実験を繰り返す。その後再び試験サンプルの配置を変え、再度犬を替える。全ての犬が確信をもって同一の試験サンプルを選ぶ場合に、特定目的物の発見が正しいものであると評価する。
【０００６】
この記事に記載された方法における欠点は、数頭の探知犬と犬学者を使用しなければならないことであり、物理的及び時間的な負担が著しいことである。
【０００７】
技術分野では、推移する精神的プロセスと生理的プロセスの変化の関係に基づいた人間の精神生理学的状態の判定方法が知られている。
【０００８】
例えば、２０００年３月２０日公開、特許文献３、特許文献４「芳香療法機器」の記述より、脳波計、心電図、心拍数計測機器又はポリグラフを使用した、一定濃度の臭いが供給された時の人の精神生理学的状態の観察方法が知られている。例えば心拍数計測センサー又は呼吸数計センサーといった、人に装着されたセンサーの信号がプロセッサユニットへ入力されることで、臭いを吸引した際の人の精神生理学的状態の変化についての情報が受信される。プロセッサユニットでは、「通常」と規定される人の状態のデータと比較するという情報処理が行われる。
【０００９】
技術分野において、例えば２００６年１１月２７日公開、特許文献５、特許文献６「がれきの中の人の発見及び爆発物や麻薬物の探知用機器」、及び２０１１年８月１０日公開、特許文献７、特許文献８「がれきの中の人の発見及び爆発物や麻薬物の探知用機器」に参照される、探知犬を使用した爆発物及び特定目的物の遠隔探知方法が知られている。探知犬の心拍数を遠隔で計測し、心拍数が急激に上昇した場合に探知犬が爆発物やその他の特定目的物を発見したという決定が下されるものである。
【００１０】
前述の方法の欠点は、探知犬の脈拍が、例えば生物体の発見といった他の状況によるものであっても特定目的物を発見した際のように早くなり、爆発物及びその他の特定目的物の発見の確実性が低いことである。
【００１１】
同様に、２００３年８月２７日公開、特許文献９、特許文献１０「人の精神生理学的指標の測定機器」より、心収縮数計と呼吸数形、心電図（以降、ＥＣＧと称する）と脳波図（以降、ＥＥＧと称する）のセンサーが入力接続された電子式汎用計算機を含んだ人の精神生理学的指標測定システムが知られている。
【００１２】
出願される発明に最も近い類似の発明が、２０１２年５月１０日公開、特許文献１１、特許文献１２に参照される、探知犬の行動の視覚的観察に基づく爆発物及びその他の特定目的物の発見方法であると考えられ、探知犬の行動の変化により爆発物及びその他の特定目的物の存在を判定するものである。
【先行技術文献】
【特許文献】
【００１３】
【特許文献１】米国特許第２００９／０１３９４５９Ａ１号明細書「Ｃａｎｉｎｅ  ｃｅｒｔｉｆｉｃａｔｉｏｎ  ｍｅｔｏｄ」
【特許文献２】国際特許組合Ａ０１Ｋ２９／００、Ｇ０１Ｎ３３／００
【特許文献３】国際特許組合Ａ６１Ｌ９／００
【特許文献４】ロシア連邦特許第１２９７０Ｕ１号明細書
【特許文献５】国際特許組合  Ｇ０１Ｖ１１／００
【特許文献６】ロシア連邦特許第２２８８４８８Ｃ１号
【特許文献７】国際特許組合  Ｇ０１Ｓ１／０２
【特許文献８】ロシア連邦特許第２４２６１４１Ｃ１号
【特許文献９】国際特許組合  Ａ６１Ｂ  ５／１６、５／０２、３／０６
【特許文献１０】ロシア連邦特許第３１７１８Ｕ１号
【特許文献１１】国際特許組合  Ａ０１Ｋ１５／００
【特許文献１２】米国特許第２０１２／０１１１２８５Ａ１号「Ｄｉｎａｍｉｃ  ｃａｎｉｎｅ  ｔｒａｎｃｋｉｎｇ  ｍｅｔｈｏｄ  ｆｏｒ  ｈａｚａｒｄｏｕｓ  ａｎｄ  ｉｌｌｉｃｉｔ  ｓｕｂｓｔａｎｃｅｓ」
【非特許文献】
【００１４】
【非特許文献１】雑誌「モスコフスキーコムソモレツ」
【発明の概要】
【発明が解決しようとする課題】
【００１５】
前述の方法の欠点は、特定目的物の発見の確実性が低いことである。
【００１６】
本発明は、高い確実性を持っていると特徴付けられる探知犬を使って、爆発物及びその他の特定目的物を短い探知時間で発見する方法を生み出すという課題を解決する。
【００１７】
本発明が技術的結果として目指す成果は、探知犬を使用した爆発物及びその他の特定目的物の確実性が向上すること及び探知に費やす時間が短縮されることである。
【００１８】
前記の技術的結果が得られるのは、探知犬を使用した爆発物及びその他の特定目的物の発見方法においてであって、対象物の探知検査の際に探知犬が犬学者に付き添われるものであり、及びその際に探知犬の行動の変化を視覚的に追跡するものであり、またその際に探知犬の行動が変化することで爆発物及び（又は）その他の特定目的物が存在すると判定する発見方法においてである。
【００１９】
前記の技術的結果は、対象物の探知検査までに爆発物及び（又は）その他の特定目的物の一定濃度の臭いの感知に対する探知犬の複合的な精神生理学的反応を判定し、探知検査時に探知犬の行動が変化した際に、その時の探知犬の複合的な精神生理学的反応を以前に判定しておいた臭い発見時の反応と比較し、その比較結果により探知犬が爆発物及び（又は）その他の特定目的物を発見したという結論を出すことで達成される。
【００２０】
本発明は、次の図面によって説明される。
【図面の簡単な説明】
【００２１】
【図１】探知犬の精神生理学的指標を記録するためのシステムが図式的に描かれている。
【図２】前記システムの要素の配置が図式的に表示されている。
【発明を実施するための形態】
【００２２】
図面にある部位は以下のものを示す：
１  呼吸センサー
２  ＥＣＧセンサー
３  ＥＥＧセンサー
４  センサー接続用アダプター
５，６  ポリグラフ増幅器
７，８  ＷｉＦｉ無線ネットワーク送信機
９  移動式コンピューター
１０  探知犬
１１  帽子
１２  ジャケット
本方法は、図１に示す探知犬の精神生理学的指標を記録するためのシステムを使用する際に実現される。
【００２３】
システムは呼吸センサー１、ＥＣＧセンサー２、ＥＥＧセンサー３、センサー接続用アダプター４、ポリグラフ増幅器５，６、ＷｉＦｉ無線ネットワーク送信機７，８、ＷｉＦｉ無線ネットワークに接続可能な設定がなされた移動式コンピューター９を含む。
【００２４】
能動型のＥＥＧセンサー３は探知犬１０の頭の上に配置され、帽子１１に固定される。
【００２５】
受動型の呼吸センサー１及びＥＣＧセンサー２は探知犬の胴体に配置され、ジャケット１２に固定される。ジャケット１２にはアダプター４、ポリグラフ増幅器５，６及びＷｉＦｉ無線ネットワーク７，８も同様に配置される。
【００２６】
本発明が実現されるために、次の順序にて行為がなされる。
【００２７】
探知犬の準備の際には、以下の行為がなされる。
【００２８】
精神生理学的指標を記録するためのシステムの要素１から８が探知犬１０に設置される。探知犬１０の近くでありＷｉＦｉ無線ネットワークが有効な範囲内に、ＷｉＦｉ無線ネットワークに接続可能な設定がなされた移動式コンピューター９（ノートパソコン、タブレット端末、スマートフォン等）を配置する。
【００２９】
精神生理学的指標を記録するためのシステムを使用して、『通常の』精神生理学状態にある探知犬の複合的な精神生理学的反応を記録する。
【００３０】
嗅覚測定器（図内に表示なし）により爆発物又は他の特定目的物の臭いの濃度が与えられる。
【００３１】
探知犬を与えられた濃度の臭いのサンプルのそばに連れてくる。探知犬の行動の変化（探知犬が座る）によって、探知犬が臭いの感知について下した決定を判別する。
【００３２】
与えられた濃度の臭いを探知したことが探知犬の複合的な精神生理学的反応がコンピューター９の記憶装置に判別及び記憶される。
【００３３】
対象物の探知検査の際には、探知犬を使用して以下の行為がなされる。
【００３４】
精神生理学的指標を記録するためのシステムの要素１から８が探知犬１０に設置される。犬学者に移動式コンピューター９を装備させる。
【００３５】
犬学者に付き添われた探知犬１０を検査対象物の外側又は内側で移動させる。
【００３６】
探知犬の行動の変化によって、犬学者は探知犬の爆発物又は他の特定目的物の臭いを探知したという決定を目視にて判別する。
【００３７】
精神生理学的指標を記録するためのシステムを使用して、探知犬１０の現在の複合的な精神生理学的反応を判定し、コンピューター９の記憶装置に記憶させる。
【００３８】
探知犬１０の現在の複合的な精神生理学的反応を、以前に判定しコンピューター９の記憶装置に保存していたものと比較する。
【００３９】
反応を比較した結果により、探知犬が爆発物及び（又は）その他の特定目的物を発見したか否かの結論を下す。
【００４０】
出願される発明の実用において、発明の産業への適用可能性及び出願された技術的結果への一致が確認された。
【００４１】
発明を利用した、探知犬を使用した爆発物及びその他の特定目的物の発見の確実性は、探知犬の身体における複合的な精神生理学的反応によって発見の事実を確認することで向上する。
【００４２】
探知検査の遂行時間の削減は、探知犬の行動に頼らず爆発物及びその他の特定目的物の発見の事実を、精神生理学的指標を記録するための技術的なシステムにより確認することで達成される。
【図１】
2017512490.tif 000003
【図２】
2017512490.tif 000004
【国際調査報告】
2017512490.tif 000005
2017512490.tif 000006